(57)【特許請求の範囲】
【請求項１】
壁面等に固定状に取り付けられる背片部の左右両端側から突出状に側片部が形成されてなる陶器製のペーパーホルダー本体の、前記各側片部の内側面に、
ロールペーパーをワンタッチで着脱できるペーパー支持腕を有する支持腕ケースを固設したブラケットを固定し、
前記ブラケットの一部を、紙切板の端部でペーパーホルダー本体に押圧固定したことを特徴とするロールペーパーホルダー。
【発明の詳細な説明】
【０００１】
【産業上の利用分野】
この発明は、ロールペーパーホルダーに関するものである。
【０００２】
【従来の技術及びその課題】
従来、本体が陶器製で形成された高級感のあるロールペーパーホルダーは、図６の斜視図で示すような構造となっており、ホルダー本体１の背片部１ａと、その左右両端から突出する側片部１ｂ，１ｂが陶器製で一体形成されており、上面には紙切板５２が設けられているが、左右の側片部１ｂ，１ｂにそれぞれ縦方向に縦溝５１，５１を凹み状に形成しており、この縦溝５１，５１に、伸縮できるようにバネ５４を備えた芯棒５３を差し込んで取り付けできるように構成されており、芯棒５３にロールペーパーを取り付けた状態で、上方より芯棒５３を縦溝５１，５１内に差し込んで取り付けるように構成されている。
【０００３】
このような構造では、芯棒５３をいちいち取り外さないとロールペーパーをセットできないために、ロールペーパーの取り換え作業等が面倒であるという問題点があり、また、ホルダー本体１が陶器製であるため、焼き加減によっては芯棒５３の取付位置が変わってしまい、紙切り性能に個体差が生じるという問題点があった。
【０００４】
また、従来、ロールペーパーをワンタッチで交換できる回動可能な支持腕５７を備えたロールペーパーホルダーにおいては、図７の分解図で示すように、ホルダー本体５５が金属または樹脂製で形成されており、背板部５５ａの左右に折り曲げて側板部５５ｂ，５５ｂを形成させて、各側板部５５ｂ，５５ｂに、ブラケット５６に取り付けた支持腕５７を、両面テープとかボルト等で外側より固定しており、さらにその外側に、陶器製のカバー５８，５８をそれぞれ被せて、陶器製カバー５８，５８で装飾しており、このような図７の構造では、全体が陶器製でないために、陶器の良さ、質感を生かすことが難しく、ホルダー本体５５全体を陶器製にしようとすると、陶器の焼き加減によっては、支持腕５７を取り付けるための凹穴等にバラつきが生じて、左右の支持腕５７，５７の取付位置がズレてしまい、紙切板５２による紙切り性能にバラつきが生じるという問題点があった。
【０００５】
【課題を解決するための手段】
本発明は上記従来の問題点に鑑み案出したものであって、ホルダー本体を陶器製で成型して陶器の良さ、質感を生かすことができ、しかもワンタッチでロールペーパーの交換をすることができるロールペーパーホルダーを提供せんことを目的とし、その要旨は、壁面等に固定状に取り付けられる背片部の左右両端側から突出状に側片部が形成されてなる陶器製のペーパーホルダー本体の、前記各側片部の内側面に、ロールペーパーをワンタッチで着脱できるペーパー支持腕を有する支持腕ケースを固設したブラケットを固定し、前記ブラケットの一部を、紙切板の端部でペーパーホルダー本体に押圧固定したことである。
【０００６】
【実施例】
以下、本発明の実施例を図面に基づいて説明する。
図１は、ロールペーパーホルダーの構成部材の分解斜視構成図であり、ホルダー本体１は全体が陶器製で構成されており、トイレの壁面等に固定状に取り付けられる背片部１ａの左右両端側から突出状に側片部１ｂ，１ｂが陶器で一体成型されており、各側片部１ｂ，１ｂの内側面には、凹み状に大きな収納凹部２が形成されており、また、収納凹部２の外周側には、浅く凹ませて外周凹部３が形成されており、外周凹部３の上部には、背片部１ａ側へ突出して突凹部３ａが連続して形成され、突凹部３ａには、紙切板１４を取り付けるための係止孔４が一体形成されたものとなっている。
【０００７】
左右それぞれの収納凹部２内には、上下方向に回動可能なペーパー支持腕６を有する支持腕ケース５が収納されるものであり、支持腕ケース５及びペーパー支持腕６は樹脂製で形成されて、支持腕ケース５は、前記収納凹部２よりも遙かに小さいものとなっており、ホルダー本体１の焼き加減により収納凹部２が多少歪んで成型されても、良好に収納凹部２内に支持腕ケース５を収納できるような寸法設計となっている。
【０００８】
支持腕ケース５の鍔部５ａの下面には、貫通した孔５ｂ，５ｂが形成されている。また、この支持腕ケース５の鍔部５ａを当接させてペーパー支持腕６を突出させることのできる開口８を有する平板状の金属で形成されたブラケット７の下部にも、通し孔９，９が形成されており、また、ブラケット７の上部には突出部７ａが一体形成されて、突出部７ａには通し孔１０が形成されたものとなっている。
【０００９】
ブラケット７の通し孔９，９に内側よりそれぞれネジ１１，１１を差し込み、さらにネジ１１を支持腕ケース５の孔５ｂ，５ｂに通し、支持腕ケース５の裏側にナット１２，１２を螺合させ、ネジ１１を締め付けることにより、ブラケット７と支持腕ケース５を予め一体固定させておくことができ、この状態で、ホルダー本体１の各側片部１ｂに形成された収納凹部２内に支持腕ケース５を入れ込み、さらに外周凹部３内にブラケット７を嵌め込んで取り付けることができ、突凹部３ａ内には、突出部７ａが嵌め込まれるものであり、予めブラケット７の裏側に両面接着テープ１３，１３を貼り付けておけば、この両面接着テープ１３が外周凹部３，３面に貼着されて、良好にブラケット７が外周凹部３に固定されることとなる。
【００１０】
また、紙切板１４の回動部１４ａ内には、固定棒１５が差し込まれており、固定棒１５の中央部には、両端側を伸縮できるようにバネ湾曲部１５ａが形成されている。固定棒１５の左右両端側にブッシュ１６，１６を嵌め込んだ状態で、固定棒１５の両端側をそれぞれホルダー本体１の係止孔４に嵌め込むことができ、この時に、固定棒１５の両端側をそれぞれブラケット７の通し孔１０に通すことにより、ブッシュ１６がブラケット７の突出部７ａを突凹部３ａに押圧し、ブラケット７を固定棒１５の両端側の押圧力により良好に固定させることができるものとなる。
【００１１】
このように、ブラケット７は紙切板の固定棒１５の両端側で固定されるとともに、両面接着テープ１３，１３により外周凹部３内に固定されるものである。従って、両面接着テープ１３，１３の接着力が低下した場合でも、固定棒１５によりブラケット７は押圧固定されているために、ブラケット７が外れて落ちることがなくなるものである。
なお、両面接着テープ１３による固定の他に、外周凹部３などに予めナットを埋め込んでおけば、この埋込ナットにボルトを締め付け、強固にブラケット７を固定することもできるものである。
【００１２】
このような構造では、ホルダー本体１の収納凹部２及び外周凹部３を、予め支持腕ケース５及びブラケット７よりも大径に設定して、ホルダー本体１を陶器で形成すれば、ホルダー本体１を焼成する際に多少歪んでも、収納凹部２とか外周凹部３の形状の変化に左右されることなく、ブラケット７を介して支持腕ケース５を所定位置に固定することができ、ペーパー支持腕６を左右一定の位置関係で良好にホルダー本体１に取付け固定できるものであり、紙切板１４がロールペーパーの全面に当接して、安定した紙切り性能を確保することができるものとなる。
【００１３】
なお、ブラケット７を樹脂製とした場合には、図２に示すように、ブラケット７と支持腕ケース５を同一素材で予め一体形成させておくこともでき、より良好に陶器製のホルダー本体１へ取り付けることができるものとなる。
また、図３に示すように、支持腕ケース５に連結爪１７，１７を一体状に突出形成させておき、この連結爪１７，１７を、ブラケット７の開口８の内周に係止させて、ブラケット７と支持腕ケース５を一体化させることができるような構造とすることもできる。
【００１４】
また、紙切板の固定棒１５は、図４に示すように、中央の中央筒部１５ｂ内にバネ１８を内装させ、バネ１８の付勢力により固定棒１５の両端側が伸縮できる構造とすることができ、さらに図５に示すように、中央筒部１５ｂ内にネジ１９を螺進退させて、一方側の固定棒１５の先端を伸縮させることができるような構造とすることもできる。
【００１５】
【発明の効果】
本発明のロールペーパーホルダーは、壁面等に固定状に取り付けられる背片部の左右両端側から突出状に側片部が形成されてなる陶器製のペーパーホルダー本体の、前記各側片部の内側面に、ロールペーパーをワンタッチで着脱できるペーパー支持腕を有する支持腕ケースを固設したブラケットを固定し、前記ブラケットの一部を、紙切板の端部でペーパーホルダー本体に押圧固定したことにより、本体が陶器製であるため、陶器の良さ、質感を生かすことができ、また、ペーパー支持腕が設けられているため、片手で操作してワンタッチでロールペーパーの交換が可能となり、操作性が向上するものとなる。
また、ペーパーホルダー本体の個体差に左右されることなく、ブラケットを介してペーパー支持腕を一定の位置関係で組み付けることができ、安定した紙切り性能を確保できるものとなる。
また、ブラケットの一部を、紙切板の端部でペーパーホルダー本体に押圧固定したことにより、ブラケットとペーパーホルダー本体間の接着力の低下が生じても、ブラケットが外れて落ちることがなく、安定した取付状態を保持できる効果を有する。
【図面の簡単な説明】
【図１】  ロールペーパーホルダーの構成部材の分解斜視図である。
【図２】  支持腕ケースとブラケットを樹脂で一体形成した場合の斜視構成図である。
【図３】  支持腕ケースに連結爪を設けてブラケットと一体化させる構成の斜視構成図である。
【図４】  紙切板の固定棒の変形例を示す斜視構成図である。
【図５】  固定棒の変形例を示す斜視構成図である。
【図６】  従来の陶器製のロールペーパーホルダーの斜視構成図である。
【図７】  従来のワンタッチで着脱できるペーパー支持腕を設けたロールペーパーホルダーの分解図である。
【符号の説明】
１  ペーパーホルダー本体
１ａ  背片部
１ｂ  側片部
２  収納凹部
３  外周凹部
３ａ  突凹部
４  係止孔
５  支持腕ケース
５ａ  鍔部
５ｂ  孔
６  ペーパー支持腕
７  ブラケット
７ａ  突出部
８  開口
９  通し孔
１０  通し孔
１１  ネジ
１２  ナット
１３  両面接着テープ
１４  紙切板
１５  固定棒
１５ａ  バネ湾曲部
１５ｂ  中央筒部
１６  ブッシュ
１７  連結爪
１８  バネ
１９  ネジ
【図１】
0003763121.tif 000002
【図２】
0003763121.tif 000003
【図３】
0003763121.tif 000004
【図４】
0003763121.tif 000005
【図５】
0003763121.tif 000006
【図６】
0003763121.tif 000007
【図７】
0003763121.tif 000008